(57)【特許請求の範囲】
【請求項１】
巻線と、該巻線が巻回された鉄心脚部及び該鉄心脚部の両端を磁気的に結ぶ上下継鉄部からなる積層鉄心と、該積層鉄心の上下継鉄部を締め付ける立上がり部及び前記巻線と対向する側と反巻線側に位置する水平部から形成される上下鉄心締付金具と、該上下鉄心締付金具の前記巻線と対向する側の水平部に配置された磁気シールド部材とを備えた変圧器本体をタンク内に収納してなる静止誘導電器において、
前記磁気シールド部材は、前記鉄心締付金具に比べて電気抵抗率が小さい材質で形成されると共に、電気的に短絡されて前記継鉄部を包囲するように配置され、かつ、前記タンク側板の内側に、電気的に短絡して前記変圧器本体を包囲するように第２の磁気シールド部材を設け、更に、前記上下鉄心締付金具の水平部と対向する前記タンク側板の一部に該タンク側板と直交するように水平部を設けると共に、該タンク側板水平部の巻線側にも前記第２の磁気シールド部材を配置し、かつ、前記上下鉄心締付金具の水平部に設けられた磁気シールド部材と前記タンク側板の水平部に設けられた第２の磁気シールド部材とを同一高さにしたことを特徴とする静止誘導電器。
【請求項２】
巻線と、該巻線が巻回された鉄心脚部及び該鉄心脚部の両端を磁気的に結ぶ上下継鉄部からなる積層鉄心と、該積層鉄心の側面に配置され、該積層鉄心を締め付ける鉄心締付金具とを備えた変圧器本体をタンク内に収納すると共に、該タンク内を前記変圧器本体を包囲するように配置された容器で区分し、該容器内にパーフルオロカーボン液が、該容器と前記タンクとの間にガスが収納されてなる静止誘導電器において、
前記容器は、前記上下継鉄部を包むように配置され、かつ、前記巻線と対向する側がタンク側板側に延びる水平部を有する上下支持金具と、該上下支持金具の水平部の先端側に接続され、かつ、前記巻線を包むように配置された絶縁筒容器とから形成されると共に、前記上下支持金具の水平部の前記巻線と対向する側に、電気的に短絡されて前記上下継鉄部を包囲するように磁気シールド部材が配置されていることを特徴とする静止誘導電器。
【請求項３】
巻線と、該巻線が巻回された鉄心脚部及び該鉄心脚部の両端を磁気的に結ぶ上下継鉄部からなる積層鉄心と、該積層鉄心の側面に配置され、該積層鉄心を締め付ける鉄心締付金具とを備えた変圧器本体をタンク内に収納すると共に、該タンク内を前記変圧器本体を包囲するように配置された容器で区分し、該容器内にパーフルオロカーボン液が、該容器と前記タンクとの間にガスが収納されてなる静止誘導電器において、
前記容器は、前記上下継鉄部を包むように配置され、かつ、前記巻線と対向する側がタンク側板側に延びる水平部を有する上下支持金具と、該上下支持金具の水平部の先端側に接続され、かつ、前記巻線を包むように配置された絶縁筒容器とから形成されると共に、前記上下支持金具の水平部の前記巻線と対向する側に、電気的に短絡されて前記上下継鉄部を包囲するように磁気シールド部材が配置され、一方、前記タンク側板の内側には、電気的に短絡されて前記変圧器本体を包囲するように第２の磁気シールド部材が設けられていることを特徴とする静止誘導電器。
【請求項４】
巻線と、該巻線が巻回された鉄心脚部及び該鉄心脚部の両端を磁気的に結ぶ上下継鉄部からなる積層鉄心と、該積層鉄心の側面に配置され、該積層鉄心の上下継鉄部を締め付ける上下鉄心締付金具とを備えた変圧器本体をタンク内に収納すると共に、該タンク内を前記変圧器本体を包囲するように配置された容器で区分し、該容器内にパーフルオロカーボン液が、該容器と前記タンクとの間にガスが収納されてなる静止誘導電器において、
前記容器は、前記上下継鉄部を包むように配置され、かつ、前記巻線と対向する側がタンク側板側に延びる水平部を有する上下支持金具と、該上下支持金具の水平部の先端側に接続され、かつ、前記巻線を包むように配置された絶縁筒容器とから形成されると共に、前記上下支持金具の水平部の前記巻線と対向する側に、電気的に短絡されて前記上下継鉄部を包囲するように磁気シールド部材が配置され、一方、前記上下鉄心締付金具の前記巻線と対向している側に、電気的に短絡されて前記上下継鉄部を包囲するように別の磁気シールド部材を設け、更に前記タンク側板の内側には、電気的に短絡されて前記変圧器本体を包囲するように第２の磁気シールド部材が設けられていることを特徴とする静止誘導電器。
【発明の詳細な説明】
【０００１】
【発明の属する技術分野】
本発明は静止誘導電器に係り、特に、変圧器，リアクトル等における鉄心締付部に磁気シールド装置を備えているものに好適な静止誘導電器に関する。
【０００２】
【従来の技術】
近年、静止誘導電器の一つである変圧器は益々大容量化される傾向にあり、それに伴い巻線からの漏れ磁束も増大している。そのため、漏れ磁束の増大が原因となる変圧器構造物の漂遊損の増加や温度上昇が製品性能，耐用性等の観点から問題になっている。
【０００３】
中でも積層された鉄心を締め付けている鉄心締付金具は、巻線に近接した配置となることから、その漂遊損の増加や温度上昇は著しい。一般には、これらを防止するために、鉄心締付金具の一部に磁気シールドを施すようにしている。
【０００４】
この鉄心締付金具の一部に磁気シールドを施し、鉄心締付金具の漂遊損の増加や温度上昇を防止する構造として特開平７ー９９１２６号公報を挙げることができる。この公知例には、上下鉄心締付金具の巻線と対向している側と反巻線側に磁気シールド部材を上下鉄心締付金具の長手方向に伸ばし、かつ、両端を電気的に短絡して配置することにより、巻線からの漏れ磁束を上記磁気シールド部材で阻止して上下鉄心締付金具へ侵入することを防ぎ、鉄心締付金具の漂遊損の増加や温度上昇を防止することが記載されている。
【０００５】
【発明が解決しようとする課題】
しかしながら、上記した従来技術では、磁気シールド部材により上下鉄心締付金具への侵入が阻止された巻線からの漏れ磁束が、タンク底板やタンクカバー等に侵入するために、この部分での漂遊損の増加や温度上昇を誘発するという問題がある。
【０００６】
即ち、上記従来技術は、上下鉄心締付金具の巻線と対向している側と反巻線側に磁気シールド部材を上下鉄心締付金具の長手方向に伸ばして両端を電気的に短絡して配置し、この磁気シールド部材で巻線からの漏れ磁束が上下鉄心締付金具へ侵入するのを阻止しているが、上下鉄心締付金具への侵入が阻止された巻線からの漏れ磁束が、鉄心脚部の上下に配置され、鉄心締付金具により締め付けられている上下継鉄部の長手方向端部の空間部からタンク底板やタンクカバー等に侵入してしまい、漂遊損を増加させると共に局部過熱による温度上昇を誘発してしまうのである。
【０００７】
本発明は上述の点に鑑みなされたものであり、その目的とするところは、鉄心締付金具は勿論のこと、タンク底板，タンクカバー等の漂遊損を低減すると共に、局部過熱に伴う温度上昇を防止した信頼性の高い静止誘導電器を提供することにある。
【０００８】
【課題を解決するための手段】
本発明は上記目的を達成するために、巻線が巻回された鉄心脚部及び該鉄心脚部の両端を磁気的に結ぶ継鉄部からなる積層鉄心の側面に配置され、該積層鉄心を締め付ける鉄心締付金具の前記巻線と対向している側に配置された磁気シールド部材を、電気的に短絡されて前記継鉄部を包囲するように配置した静止誘導電器、また、上記構成に加え、タンク側板の内側に電気的に短絡して変圧器本体を包囲するように第２の磁気シールド部材を設けた静止誘導電器としたことを特徴とする。
【０００９】
上記磁気シールド部材は、鉄心締付金具に比べて電気抵抗率が小さい材質で形成されることが好ましい。
【００１０】
更に、本発明は上記目的を達成するために、巻線が巻回された鉄心脚部及び該鉄心脚部の両端を磁気的に結ぶ上下継鉄部からなる積層鉄心の側面に配置され、該積層鉄心を締め付ける鉄心締付金具を備えた変圧器本体をタンク内に収納すると共に、該タンク内を前記変圧器本体を包囲するように配置された容器で区分し、該容器内にパーフルオロカーボン液が、該容器と前記タンクとの間にガスが収納されてなる際に、前記容器が、前記上下継鉄部を包むように配置され、かつ、前記巻線と対向する側がタンク側板側に延びる水平部を有する上下支持金具と、該上下支持金具の水平部の先端側に接続され、かつ、前記巻線を包むように配置された絶縁筒容器とから形成されると共に、前記上下支持金具の水平部の前記巻線と対向する側に、電気的に短絡されて前記上下継鉄部を包囲するように磁気シールド部材が配置されている静止誘導電器、また、上記構成に加え、タンク側板の内側に電気的に短絡して変圧器本体を包囲するように第２の磁気シールド部材を設けた静止誘導電器、更には上記構成に加え、前記上下鉄心締付金具の前記巻線と対向している側に、電気的に短絡されて前記上下継鉄部を包囲するように別の磁気シールド部材を設け静止誘導電器としたことを特徴とする。
【００１１】
上記した本発明の静止誘導電器によれば、巻線からの漏れ磁束が上下継鉄部を包む上下鉄心締付金具やタンク底板，タンクカバー等に侵入しようとしても、上下鉄心締付金具の巻線と対向する側に配置された磁気シールド部材に流れるうず電流で発生する逆方向磁束により巻線からの漏れ磁束が反発され、しかも、この磁気シールド部材が、電気的に短絡されて前記上下継鉄部を包囲するように配置されているため、鉄心締付金具により締め付けられている上下継鉄部の長手方向端部の空間部から漏れ磁束がタンク底板やタンクカバー等に侵入することはなく、上下鉄心締付金具やタンク底板，タンクカバー等に侵入する磁束を阻止することができ、上下鉄心締付金具やタンク底板，タンクカバー等の漂遊損を低減すると共に、局部過熱に伴う温度上昇が防止され信頼性の高い静止誘導電器が得られる。
【００１２】
【発明の実施の形態】
以下、図示した実施例に基づいて本発明の静止誘導電器を詳細に説明する。尚、本発明は静止誘導電器であれば如何なるものにも採用可能であるが、ここでは静止誘導電器の一つである変圧器の場合について説明していく。
【００１３】
図１にはその変圧器の要部が、図２には全体構成が、図３には平面から見た構成がそれぞれ示されている。
【００１４】
該図に示すごとく、鉄心脚部３には内側巻線１及び外側巻線２が巻回され、鉄心脚部３の上下端部には、この上下端部と結合している上部継鉄部４及び下部継鉄部５が設けられ、上部継鉄部４及び下部継鉄部５の側面には、上部鉄心締付金具６及び下部鉄心締付金具７が取付けられている。そして、これらで変圧器本体を構成し、この変圧器本体がタンク底板８ａ，タンク側板８ｂ、及びタンクカバー８ｃで構成されたタンク８の中に冷却媒体と共に収納されている。上部鉄心締付金具６及び下部鉄心締付金具７は、上部継鉄部４及び下部継鉄部５の側面に沿って配置される鋼材（磁性体及び非磁性体）で形成され、これらを締め付ける立上り部６ｂ及び７ｂと、上部継鉄部４及び下部継鉄部５の側面から直角方向に延び内側巻線１及び外側巻線２と対向している水平部６ａ，６ｃ、及び７ａ，７ｃとで構成され、この立上り部６ｂ及び７ｂと水平部６ａ，６ｃ、及び７ａ，７ｃが組み合わされ概略逆コ字型に構成されている。また、上部鉄心締付金具６及び下部鉄心締付金具７の内側巻線１及び外側巻線２と対向する側の水平部６ａ，７ａには、磁気シールド部材９，１０が設けられており、この磁気シールド部材９、及び１０は、電気的に短絡されて図１に示すように上部継鉄部４及び下部継鉄部５を包囲して（図１には上部継鉄部４部分のみを示す）配置されている。尚、磁気シールド部材９，１０の材質としては、上部鉄心締付金具６及び下部鉄心締付金具７、或いはタンク８等に使用される鋼板に比べて電気抵抗率の小さい、例えば銅或いはアルミニウム等が有効である。
【００１５】
このような本実施例の構成によれば、図２に矢印で示されるように、内側巻線１及び外側巻線２からの漏れ磁束Φが、上部継鉄部４及び下部継鉄部５を締め付けている上部鉄心締付金具６及び下部鉄心締付金具７へ侵入しようとしても、上部鉄心締付金具６及び下部鉄心締付金具７の水平部６ａ及び７ａには磁気シールド部材９，１０が、電気的に短絡されて上部継鉄部４及び下部継鉄部５を包囲して配置されているため、この磁気シールド部材９，１０には全周にわたって侵入磁束を打ち消す方向にうず電流が流れ、このうず電流によって全周に生ずる逆方向磁束（図示せず）により漏れ磁束Φが反発され、しかも、上部継鉄部４及び下部継鉄部５が磁気シールド部材９，１０により包囲されていることから、上部継鉄部４及び下部継鉄部５の長手方向端部には空間部が生じないために、漏れ磁束Φは磁気シールド部材９と１０の間に閉じ込められるようになるので、上部鉄心締付金具６及び下部鉄心締付金具７やタンク底板８ａ，タンクカバー８ｃへの漏れ磁束Φの侵入を阻止することが可能となるために漂遊損の増加や局部過熱に伴う温度上昇が防止できる。また、上部鉄心締付金具６及び下部鉄心締付金具７の水平部６ａ，７ａのみに磁気シールド部材９，１０を配置しているために、従来に比べて磁気シールド部材９，１０の取付け範囲を少なくできる効果もある。
【００１６】
図４及び図５に本発明の第２の実施例を示す。該図に示す実施例は、その構成は上述した実施例とほぼ同一であるが、外側巻線２と対向するタンク側板８ｂの内側の全周にも、電気的に短絡されしかも変圧器本体を包囲するように磁気シールド部材２０を配置した構成が上述した実施例と異なる。
【００１７】
このような本実施例の構成とすることにより、上部鉄心締付金具６及び下部鉄心締付金具７への漏れ磁束Φの侵入に対する抑制効果は、上述した実施例と同様であるが、本実施例の構成では、内側巻線１及び外側巻線２からの漏れ磁束Φが矢印で示すごとく、タンク側板８ｂへ侵入しようとしてもタンク側板８ｂの内側に配置された磁気シールド部材２０には、これらの侵入しようとする磁束を打ち消す方向に大量のうず電流が流れ、このうず電流によって生ずる逆方向磁束により漏れ磁束Φを反発するため、タンク底板８ａ，タンク側板８ｂ，タンクカバー８ｃへの漏れ磁束Φの侵入を阻止することが可能となるために漂遊損の増加や局部過熱に伴う局部過熱も防止できる。従って、上部鉄心締付金具６及び下部鉄心締付金具７の水平部６ａ，７ａに配置された磁気シールド部材９，１０による効果と併せて漏れ磁束Φの侵入阻止効果があるので、より信頼性の高い変圧器を得ることができる。また、タンク側板８ｂの内側に配置される磁気シールド部材
２０の取付け範囲は、上部鉄心締付金具６及び下部鉄心締付金具７の立上り部
６ｂ，７ｂの中間付近までで十分であり、従来、タンク底板８ａ，タンクカバー８ｃ等に設けられていた磁気シールド部材が不要になる効果もある。
【００１８】
図６に本発明の第３の実施例を示す。該図に示す実施例は、上記した第２の実施例を改良したものであり、上部鉄心締付金具６及び下部鉄心締付金具７の内側巻線１及び外側巻線２と対向する面の水平部６ａ及び７ａには、第２の実施例と同様に磁気シールド部材９及び１０が設けられているが、この磁気シールド部材９及び１０が設けられている上部鉄心締付金具６及び下部鉄心締付金具７の水平部６ａ及び７ａをタンク側板８ｂに延ばし、反巻線側の水平部６ｃ，７ｃよりも長くして、タンク側板８ｂの内側に配置された磁気シールド部材２０との距離を狭くした構成となっている。
【００１９】
このような本実施例の構成とすることにより、上部鉄心締付金具６及び下部鉄心締付金具７の水平部６ａ及び７ａに設けられた磁気シールド部材９，１０とタンク側板８ｂに設けられた磁気シールド部材２０との距離を狭くしているために、内側巻線１及び外側巻線２からの漏れ磁束Φが、矢印で示す如く、上部鉄心締付金具６及び下部鉄心締付金具７やタンク底板８ａ，タンク側板８ｂ，タンクカバー８ｃへ漏れようとしても、漏れ磁束Φを磁気シールド部材９，１０，２０で包囲するような構造となっているために、上部鉄心締付金具６及び下部鉄心締付金具７やタンク底板８ａ，タンク側板８ｂ，タンクカバー８ｃへ侵入することはなくなり、より効果的に漏れ磁束Φを阻止することが可能となる。
【００２０】
つまり、内側巻線１及び外側巻線２からの漏れ磁束Φが、上部鉄心締付金具６及び下部鉄心締付金具７やタンク底板８ａ，タンクカバー８ｃに侵入しようとしても、水平部６ａ，７ａに設けられた磁気シールド部材９，１０には、これらの侵入磁束を打ち消す方向にうず電流が流れ、このうず電流によって生ずる逆方向磁束により漏れ磁束Φを反発して漏れ磁束Φの侵入を阻止することが可能となる。また、タンク側板８ｂに内側巻線１及び外側巻線２からの漏れ磁束Φが侵入しようとしても、タンク側板８ｂの内側に設けられた磁気シールド部材２０に生ずるうず電流で発生する逆方向磁束により、漏れ磁束Φを反発して漏れ磁束Φの侵入を阻止することが可能となる。しかも、磁気シールド部材９及び１０と２０の距離を狭くしているために両者の効果が重畳されて、さらに信頼性の高い変圧器を得ることができるようになる。
【００２１】
図７に本発明の第４の実施例を示す。該図に示す実施例は、上記した第２の実施例を改良したものであり、上部鉄心締付金具６及び下部鉄心締付金具７の内側巻線１及び外側巻線２と対向する面の水平部６ａ及び７ａには、第２の実施例と同様に磁気シールド部材９及び１０が設けられているが、本実施例では、上部鉄心締付金具６及び下部鉄心締付金具７の内側巻線１及び外側巻線２と対向する側の水平部６ａ，７ａと対向するタンク側板８ｂの一部に、このタンク側板８ｂと直交するように水平部１１，１２を設けると共に、該タンク側板８ｂの水平部
１１，１２の内側巻線１及び外側巻線２と対向側にも磁気シールド部材２１を配置し、しかも、上部鉄心締付金具６及び下部鉄心締付金具７の水平部６ａ及び
７ａに設けられた磁気シールド部材９，１０とタンク側板８ｂの水平部１１，
１２に設けられた磁気シールド部材２１とを同一高さにした構成となっている。このような本実施例の構成とすることにより、内側巻線１及び外側巻線２からの漏れ磁束Φが上部鉄心締付金具６及び下部鉄心締付金具７やタンク底板８ａ，タンク側板８ｂ，タンクカバー８ｃへ漏れようとしても、上部鉄心締付金具６及び下部鉄心締付金具７の水平部６ａ，７ａに設けられた磁気シールド部材９，
１０とタンク側板８ｂ及びこの水平部１１，１２の内側に設けられた磁気シールド部材２０，２１には、これらの侵入磁束を打ち消す方向にうず電流が流れ、このうず電流によって生ずる逆方向磁束により漏れ磁束Φを反発して漏れ磁束Φの侵入を阻止することが可能となる。しかも、上部鉄心締付金具６及び下部鉄心締付金具７の水平部６ａ，７ａに設けられた磁気シールド部材９，１０とタンク側板８ｂの水平部１１，１２の内側に設けられた磁気シールド部材２１の取付け位置をほぼ同一高さにしているため、タンク側板８ｂの内側に設けられる磁気シールド部材２０の取付け範囲を少なくできるメリットもある。
【００２２】
図８及び図９は本発明の第５の実施例を示す。該図に示す実施例は、内側巻線１及び外側巻線２が鉄心脚部３に巻回され、鉄心脚部３の上下端部と結合している上部継鉄部４及び下部継鉄部５の側面に上部鉄心締付金具６と下部鉄心締付金具７が取付けられて構成される変圧器本体を冷却する冷却媒体として、不燃性のパーフルオロカーボン液とガスとを用いた場合の例である。つまり、タンク８内を、変圧器本体を包囲するように配置された容器２２で区分し、この容器２２内にパーフルオロカーボン液が収納されると共に、容器２２とタンク８との間にガスが収納されている変圧器である。
【００２３】
そして、本実施例では上記容器２２が、上部継鉄部４及び下部継鉄部５を包むように配置され、かつ、内側巻線１及び外側巻線２と対向する側がタンク側板
８ｂ側に延びる水平部３０ａ，３５ａを有する上部支持金具３０及び下部支持金具３５と、この上部支持金具３０及び下部支持金具３５の水平部３０ａ，３５ａのタンク側板８ｂ側先端部に接続され、内側巻線１及び外側巻線２を包むように配置された筒状の絶縁筒容器２２ａとから形成されており、この絶縁筒容器２２ａを共通板（図示せず）を介して上部支持金具３０及び下部支持金具３５に連結すると共に、上部支持金具３０及び下部支持金具３５の内側巻線１及び外側巻線２と対向する面の水平部３０ａ，３５ａの内側に、磁気シールド部材２３，２４が電気的に短絡されて上部継鉄部４及び下部継鉄部５を包むように配置された構成となっている。
【００２４】
このような本実施例の構成とすることにより、内側巻線１及び外側巻線２からの漏れ磁束Φが、矢印で示すごとく、上部継鉄部４及び下部継鉄部５を包む上部支持金具３０及び下部支持金具３５に侵入しようとしても、その上部支持金具
３０及び下部支持金具３５の水平部３０ａ，３５ａの内側に配置された磁気シールド部材２３，２４には、これらの侵入磁束を打ち消す方向にうず電流が流れ、このうず電流によって生ずる逆方向磁束により漏れ磁束Φを反発し、上部鉄心締付金具６及び下部鉄心締付金具下部７やタンク底板８ａ，タンクカバー８ｃへの漏れ磁束Φの侵入が阻止されるため、漂遊損の増加や局部過熱に伴う温度上昇が防止できる。
【００２５】
図１０は本発明の第６の実施例を示す。該図に示す実施例は、上述した第５の実施例に加え、上部鉄心締付金具６及び下部鉄心締付金具７の内側巻線１及び外側巻線２と対向する面の水平部６ａ，７ａの内側に、磁気シールド部材９，１０を、電気的に短絡されて、しかも、上部継鉄部４及び下部継鉄部５を包囲するように配置したものである。
【００２６】
このような本実施例の構成とすることにより、内側巻線１及び外側巻線２からの漏れ磁束Φが、矢印で示すごとく、上部鉄心締付金具６及び下部鉄心締付金具７や上部支持金具３０及び下部支持金具３５，タンク底板８ａ，タンク側板８ｂ，タンクカバー８ｃへ侵入しようとしても、内側巻線１及び外側巻線２と対向する面の上部鉄心締付金具６及び下部鉄心締付金具７の水平部６ａ，７ａや上部支持金具３０及び下部支持金具３５の水平部３０ａ，３５ａの内側に配置された磁気シールド部材９，１０，２３、及び２４には、これらの侵入磁束を打ち消す方向にうず電流が流れ、このうず電流によって生ずる逆方向磁束により漏れ磁束Φを反発し、上部鉄心締付金具６及び下部鉄心締付金具７やタンク８への漏れ磁束Φの侵入が阻止されるため、漂遊損の増加や局部過熱に伴う温度上昇等を防止することが可能となり、より信頼性の高い変圧器を得ることができる。
【００２７】
尚、上述した各実施例は、単相センタコア変圧器の場合について説明したが、単相３脚変圧器，単相５脚変圧器の場合でも同様な効果が期待できる。また、変圧器タンク８の形状を角形にした場合を例に説明したが、円形および楕円形タンク等の圧力容器においても同様な効果が期待できる。
【００２８】
【発明の効果】
以上説明した本発明の静止誘導電器によれば、巻線が巻回された鉄心脚部及び該鉄心脚部の両端を磁気的に結ぶ継鉄部からなる積層鉄心の側面に配置され、該積層鉄心を締め付ける鉄心締付金具の前記巻線と対向している側に配置された磁気シールド部材を、電気的に短絡されて前記継鉄部を包囲するように配置した静止誘導電器、また、上記構成に加え、タンク側板の内側に電気的に短絡して変圧器本体を包囲するように第２の磁気シールド部材を設けた静止誘導電器としたものであるから、
巻線からの漏れ磁束が上下継鉄部を包む上下鉄心締付金具やタンク底板，タンクカバー等に侵入しようとしても、上下鉄心締付金具の巻線と対向する側に配置された磁気シールド部材に流れるうず電流で発生する逆方向磁束により巻線からの漏れ磁束が反発され、しかも、この磁気シールド部材が、電気的に短絡されて前記上下継鉄部を包囲するように配置されているため、鉄心締付金具により締め付けられている上下継鉄部の長手方向端部の空間部から漏れ磁束がタンク底板やタンクカバー等に侵入することはなく、上下鉄心締付金具やタンク底板，タンクカバー等に侵入する磁束を阻止することができ、上下鉄心締付金具やタンク底板，タンクカバー等の漂遊損を低減すると共に、局部過熱に伴う温度上昇が防止され信頼性の高い静止誘導電器が得られる効果がある。
【図面の簡単な説明】
【図１】本発明の静止誘導電器の一実施例である変圧器の上部を示す部分斜視図である。
【図２】図１に示した変圧器の縦断面図である。
【図３】図１に示した変圧器の平面図である。
【図４】本発明の第２の実施例を示す変圧器の縦断面図である。
【図５】図４に示した変圧器の平面図である。
【図６】本発明の第３の実施例を示す変圧器の縦断面図である。
【図７】本発明の第４の実施例を示す変圧器の縦断面図である。
【図８】本発明の第５の実施例を示す変圧器の縦断面図である。
【図９】図８に示した変圧器の平面図である。
【図１０】本発明の第６の実施例を示す変圧器の縦断面図である。
【符号の説明】
１…内側巻線、２…外側巻線、３…鉄心脚部、４…上部継鉄部、５…下部継鉄部、６…上部鉄心締付金具、６ａ，６ｃ…上部鉄心締付金具の水平部、６ｂ…上部鉄心締付金具の立上り部、７…下部鉄心締付金具、７ａ，７ｃ…下部鉄心締付金具の水平部、７ｂ…下部鉄心締付金具の立上り部、８…タンク、８ａ…タンク底板、８ｂ…タンク側板、８ｃ…タンクカバー、９，１０，２０，２１，２３，２４…磁気シールド部材、１１，１２…タンク側板の水平部、２２…容器、２２ａ…絶縁筒容器、３０…上部支持金具、３０ａ…上部支持金具の水平部、３５…下部支持金具、３５ａ…下部支持金具の水平部。
【図１】
0003589012.tif 000002
【図２】
0003589012.tif 000003
【図３】
0003589012.tif 000004
【図４】
0003589012.tif 000005
【図５】
0003589012.tif 000006
【図６】
0003589012.tif 000007
【図７】
0003589012.tif 000008
【図８】
0003589012.tif 000009
【図９】
0003589012.tif 000010
【図１０】
0003589012.tif 000011